(57)【要約】      （修正有）【課題】はさみやカッターを用いることなく容易に開封できるとともに、開封の際に開運を感じさせる封筒を提供する。【解決手段】封筒１の一辺に形成されている開封口を封止する封止片の折曲線２に、複数の切断用孔２ａが穿孔されるとともに切断用糸３の両端が折曲線２の両端の隅部で止着されて張設され、切断用糸３を含む少なくとも一カ所に複数の切除用孔４が穿孔されて封筒１から切除できる切除片５を形成する。さらに、切除用孔４を挟んで「開運」の文字が表示され、表示された「開運」の文字のうち、「開」の文字が切除片５に表示され、「運」の文字が封筒１に表示され、切除片５が切除用孔４に沿って破断されて封筒１から切除された後、さらに切断用糸３が折曲線２の切断用孔２ａに沿って引き上げられて切断用孔２ａが切断されて開封される。【選択図】図２
0003167563.tif 000002
【実用新案登録請求の範囲】
【請求項１】
封筒の一辺に形成されている開封口を封止する封止片の折曲線に複数の切断用孔が穿孔されるとともに、前記折曲線に沿って張設された切断用糸の両端が前記折曲線の両端の隅部で止着され、前記切断用糸を含む少なくとも一カ所に複数の切除用孔が穿孔されて前記封筒から切除できる切除片が形成され、前記切除用孔を挟んで「開運」の文字が表示され、表示された前記「開運」の文字のうち、「開」の文字が前記切除片に表示され、残りの「運」の文字が前記封筒に表示されており、前記切除片が前記切除用孔に沿って破断されて前記封筒から切除された後、さらに前記切断用糸が前記折曲線の前記切断用孔に沿って引き上げられて前記切断用孔が切断されて開封されることを特徴とする封筒。
【請求項２】
前記切除片が前記隅部の一カ所に形成されていることを特徴とする請求項１記載の封筒。
【考案の詳細な説明】
【技術分野】
【０００１】
本考案は、封筒を開封する際にカッターやはさみ等の道具を用いることなく、開封用の糸を引っ張って開封口を切断することで容易に開封できる封筒に関する。
【背景技術】
【０００２】
封筒は、書類や小物等の郵送、配達あるいは保管などに使用されている。封筒を開封する際は、通常、カッターやはさみなどの道具を用いるが、これらの道具を用いないで、封筒の隅に形成されている切除片を分断孔に沿って封筒から破断した後、切除片につながっている切断用糸を引っ張って封筒の一辺の開封口の折曲線に沿って切断することで容易に開封できる封筒が知られている（特許文献１，２参照）。
【０００３】
例えば、前記特許文献１に記載された封筒は、図４に示すように、封筒１の一辺の開封口を塞ぐ封止片の折曲線２はミシン目で穿孔された複数の切断用孔２ａにより形成されている。折曲線２には、その内側に沿って引張強度の高い切断用糸３が張り渡され、切断用糸３の両端は折曲線２の両端の内側隅部で止着されている。この止着された箇所を含む封筒の隅部が封筒から分断できるようにする複数の分断孔４をミシン目により設けて切除片５が形成されている。なお、切除用孔４の矢印を示す孔６は、開封方向を示すためのものである。
【０００４】
封筒の開封時は、図４（ａ）に示すように、まず封筒１の隅部に形成されている切除片５を指で掴んで切除用孔４に沿って破断して封筒１から切除する。次に、切除した切除片５を封筒１の対向する隅部に向けて引っ張ることにより、切断用糸３が切断用孔２ａに沿って折曲線２を切断していく。そして、切除片５を末端まで引っ張って折曲線２を切断して開封する。
【０００５】
封筒は、例えば、神社仏閣においても使用され、通常の連絡の他に、注文に応じて御守、御札、おみくじなどの神社の縁起物が封筒に入れられて注文先に送られている（特許文献３，４参照）。
【先行技術文献】
【特許文献】
【０００６】
【特許文献１】特許第４０３９５７３号公報
【特許文献２】実用新案登録第３１５６５３３公報
【特許文献３】特開２００３−０１００３５号公報
【特許文献４】特開２００７−３１６７８４号公報
【考案の概要】
【考案が解決しようとする課題】
【０００７】
従来の普通の封筒の開封には、はさみやカッターを使用するので簡単にすぐには開封できず、また、開封する際に、特に開運などの感じを受けるものではなかった。
【０００８】
そこで、本考案は、はさみやカッターを用いることなく容易に開封できるとともに、開封の際に開封する人に開運を感じてもらおうとする封筒を提供するものである。
【課題を解決するための手段】
【０００９】
本考案は、封筒の一辺に形成されている開封口を封止する封止片の折曲線に複数の切断用孔が穿孔されるとともに、前記折曲線に沿って張設された切断用糸の両端が前記折曲線の両端の隅部で止着され、前記切断用糸を含む少なくとも一カ所に複数の切除用孔が穿孔されて前記封筒から切除できる切除片が形成され、前記切除用孔を挟んで「開運」の文字が表示され、表示された前記「開運」の文字のうち、「開」の文字が前記切除片に表示され、残りの「運」の文字が前記封筒に表示されており、前記切除片が前記切除用孔に沿って破断されて前記封筒から切除された後、さらに前記切断用糸が前記折曲線の前記切断用孔に沿って引き上げられて前記切断用孔が切断されて開封される封筒である。
【００１０】
前記構成において、前記切除片が前記隅部の一カ所に形成されていることを特徴とする。
【考案の効果】
【００１１】
本考案によれば、分断穴が形成された封筒の切除片を分断孔に沿って封筒から分断し、切断用糸で封筒の一辺の折り目に沿って切断することで、カッター等の道具を用いることなく容易に開封でき、さらに切除片を分断した後に、封筒に「開運」の文字のうち「運」の文字が残るので、開封者に開運の願いを伝えることができる。
【図面の簡単な説明】
【００１２】
【図１】本発明による封筒の一例を示す正面図である。
【図２】（ａ）本考案の封筒において、切除片を引っ張って分断した状態を示す図、（ｂ）は切断用糸を引っ張って開封した状態を示す図である。
【図３】本考案の封筒において、切除片の各種形状および配置を示す図である。
【図４】（ａ）は従来の切断用糸で開封する封筒を示す図、（ｂ）は切除片を引っ張って分断した状態を示す図である。
【考案を実施するための形態】
【００１３】
本考案の実施例について図面を参照しながら説明する。
【実施例１】
【００１４】
図１において、封筒１は、従来の封筒と同様に、紙、ビニルなどを単体又は積層して複合したシートを折り畳んで四角形に形成される。
【００１５】
封筒１の四辺のうち、開封しようとする辺には、封筒の裏側に折曲線２に沿って折り曲げて封筒１の開封口を封止するための封止片が形成されている。この封止片の折曲線２に沿ってミシン目などにより複数の切断用孔２ａが間隔をおいて連続的に形成されている。折曲線２は後述する切断用糸３によって切断用孔２ａに沿って切断され、開封される。
【００１６】
封筒１の開封しようとする辺の少なくとも一方の端の隅部には、封筒１から切除可能な切除片５が形成される。切除片５は、切除し易くするためミシン目などにより複数の切除用孔４を、間隔をおいて直線状あるいは円弧状に連続的に穿孔して形成する。
【００１７】
切除片５の位置は、図１に示すように封筒の折曲線２の隅部だけに限定されるものではなく、隅部以外の位置、例えば図３に示すように、折曲線２の中央など任意の位置に形成することができる。また、切除片５の形状は、指で摘んで切除できる形状であればよく、図１に示すように封筒の折曲線２の隅部の１／４円形状だけでなく、図３に示すように、半円形、四角形、三角形などの形状を採用することができる。
【００１８】
切除用孔４は、開封口を塞ぐ封止片を開いた状態で封筒１と封止片とに穿孔し、封止片を封筒１側に折り曲げて封止した状態では、封筒１と封止片の切除用孔４が重なり合うようにし、封筒１と封止片が重なった切除片５が切除可能に形成される。切除用孔４を直線状あるいは円弧状に連続的に形成するとともに、切除片５の分断方向を示す矢印の孔６を、切除用孔４を跨ぐように又はその近傍に形成してもよい。矢印を示す孔６が点字の役目をして視力障害のある人でも容易に開封することができる。
【００１９】
切除片５と封筒１に渡って切除用孔４を挟んで「開運」の文字が表示される。その表示は、「開運」の文字のうち、「開」の文字が切除片５に表示され、残りの「運」の文字が封筒１側に分けて表示される。
【００２０】
折曲線２の内側に沿って切断用糸３を張設し、切断用糸３の両端を折曲線２の両端の隅部に止着する。これにより、切断用糸３の一方の端あるいは両端が隅部に形成されている切除片５に止着されることになる。切断用糸３は、綿や麻等の糸、釣糸などのプラスチック、金属製のワイヤーなど切断用孔２ａを切断するのに十分な引張強度を有する糸を使用する。
【００２１】
本考案の封筒の開封手順について説明する。
開封時は、図２（ａ）に示すように、まず封筒１の隅部に形成されている切除片５を掴んで切除用孔４に沿って破断して封筒１から切除する。
【００２２】
次に、図２（ｂ）に示すように、切除した切除片５を封筒１の対向する隅部に向けて引っ張ることにより、切断用糸３が切断用孔２ａに沿って封筒の開封口を塞ぐ封止片の折曲線２を切断していく。そして、切除片５を末端まで引っ張って封止片２の折曲線２の全部を切断することにより開封されて、中から文書などの内容物７を取り出すことが可能となる。
【００２３】
切除片５を切除用孔４に沿って破断して封筒１から切除し、切断用糸３を切断用孔２ａに沿って引っ張って開封すると、切除用孔４を跨いで表示されている「開運」の文字のうち封筒１側に「運」の文字が残る。すなわち、封を「開」いて「運」が残るという思いにより「開運」の願いを感じてもらおうとするものである。
【００２４】
なお、図３に示すように、切除片５を中央部に形成した場合、切除片５を切除用孔４に沿って破断して封筒１から切除し、切除片５の両側の切断用糸を切断用孔２ａに沿って引っ張って開封すると、切除用孔４を跨いで表示されている「開運」の文字のうち封筒側に「運」の文字が残る。
【符号の説明】
【００２５】
１：封筒
２：折曲線
２ａ：切断用孔
３：切断用糸
４：切除用孔
５：切除片
６：矢印を示す孔
７：内容物
【図１】
0003167563.tif 000003
【図２】
0003167563.tif 000004
【図３】
0003167563.tif 000005
【図４】
0003167563.tif 000006